(57)【要約】      （修正有）【課題】ハンドルを速く折畳み又は展開することができ、且つ展開して又は折り畳んで使用するときに頑丈で安定的に作動できる手動コーヒーミルの折畳み構造を提供する。【解決手段】中心軸３が内蔵された本体１を備え、中心軸３の上方には、キャップ５が設けられ、キャップ５が内側ロッカー６に接続され、内側ロッカー６が折畳み可能な外側ロッカー９に接続され、外側ロッカー９には、摺動可能なロックスリーブ７が設けられ、ロックスリーブ７を内側ロッカー６に外嵌することにより外側ロッカー９を展開して固定することができ、ロックスリーブ７と外側ロッカー９との間には、ロックスリーブ７を押すためのバネ８が設けられる。【選択図】図１
0003225396.tif 000002
【実用新案登録請求の範囲】
【請求項１】
中心軸（３）が内蔵された本体（１）を備え、中心軸（３）の上方には、キャップ（５）
が設けられ、前記キャップ（５）が内側ロッカー（６）に接続される手動コーヒーミルの
折畳み構造であって、
前記内側ロッカー（６）が折畳み可能な外側ロッカー（９）に接続され、外側ロッカー（
９）には、摺動可能なロックスリーブ（７）が外嵌され、ロックスリーブ（７）を内側ロ
ッカー（６）に外嵌することにより外側ロッカー（９）を展開して固定することができる
、ことを特徴とする手動コーヒーミルの折畳み構造。
【請求項２】
ロックスリーブ（７）と外側ロッカー（９）との間には、ロックスリーブ（７）を押すた
めのバネ（８）が設けられる、ことを特徴とする請求項１に記載の手動コーヒーミルの折
畳み構造。
【請求項３】
前記内側ロッカー（６）とロックスリーブ（７）には、互いに嵌合するネジが設けられる
、ことを特徴とする請求項１又は２に記載の手動コーヒーミルの折畳み構造。
【請求項４】
前記外側ロッカー（９）には、磁石（１０）が設けられ、折り畳まれた後の外側ロッカー
（９）は、磁石（１０）を介して本体（１）に吸着できる、ことを特徴とする請求項１又
は２に記載の手動コーヒーミルの折畳み構造。
【請求項５】
前記磁石（１０）の外側には、緩衝ゴムパッド（１１）が設けられる、ことを特徴とする
請求項４に記載の手動コーヒーミルの折畳み構造。
【請求項６】
前記本体（１）の内部には、アウターカッターヘッドを押し締めるための固定リング（２
）が設けられ、固定リング（２）と本体（１）は、ねじで接続され、固定リング（２）は
、磁石（１０）と磁気的に嵌合される、ことを特徴とする請求項４に記載の手動コーヒー
ミルの折畳み構造。
【請求項７】
前記内側ロッカー（６）と外側ロッカー（９）との接続部には、ねじりバネが設けられる
、ことを特徴とする請求項１に記載の手動コーヒーミルの折畳み構造。
【請求項８】
前記中心軸（３）とキャップ（５）との間には、固定ゴムリング（４）が設けられる、こ
とを特徴とする請求項１に記載の手動コーヒーミルの折畳み構造。
【請求項９】
前記本体（１）には、ローレットパターンが設けられる、ことを特徴とする請求項１に記
載の手動コーヒーミルの折畳み構造。
【考案の詳細な説明】
【技術分野】
【０００１】
本考案は、主にコーヒー器具の技術分野に関し、具体的には、手動コーヒーミルの折畳み
構造である。
【背景技術】
【０００２】
手動コーヒーミルのハンドルの折畳みは、手動でミーリングするときにの携帯性、利便性
において非常に重要なことでる。現在市販されている手動コーヒーミルのハンドルの折畳
み構造は、嵌合が緩んで、力のフィードバックがなく、ハンドルを展開してミーリングす
る場合にも、ハンドルを折り畳んで使用する場合にも、安定性が低い。
【考案の概要】
【考案が解決しようとする課題】
【０００３】
従来技術の欠点を解決するために、本考案は、従来技術と組み合わせて、実際の応用から
、手動コーヒーミルの折畳み構造を提供し、本構造によれば、ハンドルを速く折畳み又は
展開することができ、且つ展開し又は折り畳んで使用するときに頑丈で安定的に作動でき
、力のフィードバックがよく、ユーザーエクスペリエンスを大幅に向上させる。
【課題を解決するための手段】
【０００４】
上記目的を実現するために、本考案の技術案は、以下のとおりである。
【０００５】
手動コーヒーミルの折畳み構造であって、中心軸が内蔵された本体を備え、中心軸の上方
には、キャップが設けられ、前記キャップが内側ロッカーに接続され、前記内側ロッカー
が折畳み可能な外側ロッカーに接続され、外側ロッカーには、摺動可能なロックスリーブ
が外嵌され、ロックスリーブを内側ロッカーに外嵌することにより外側ロッカーを展開し
て固定することができる。
【０００６】
ロックスリーブと外側ロッカーとの間には、ロックスリーブを押すためのバネが設けられ
る。
【０００７】
前記内側ロッカーとロックスリーブには、互いに嵌合するネジが設けられる。
【０００８】
前記外側ロッカーには、磁石が設けられ、折り畳まれた後の外側ロッカーは、磁石を介し
て本体に吸着できる。
【０００９】
前記磁石の外側には、緩衝ゴムパッドが設けられる。
【００１０】
前記本体には、アウターカッターヘッドを押し締めるための固定リングが設けられ、固定
リングと本体とは、ねじで接続され、固定リングは、磁石と磁気的に嵌合される。
【００１１】
前記内側ロッカーと外側ロッカーとの接続部には、ねじりバネが設けられる。
【００１２】
前記中心軸とキャップとの間には、固定ゴムリングが設けられる。
【００１３】
前記本体には、ローレットパターンが設けられる。
【考案の効果】
【００１４】
本考案の有益な効果は、以下のとおりである。
【００１５】
１、本考案は、ハンドルを伸ばすときに、ロックスリーブを押すことによって外側ロッカ
ーを真っ直ぐにし、スリーブの両端をそれぞれ内側ロッカーと外側ロッカーに外嵌するこ
とで、外側ロッカーを水平に固定し、それによって、簡便に操作でき、ハンドルを使用し
てコーヒー豆をミーリングするときに非常に安定的であるという利点を有する。
【００１６】
２、本考案では、外側ロッカーにロックスリーブを押すためのバネを外嵌することで、ハ
ンドルの力のフィードバックがよくなり、構造が緊密に嵌合され、使用の安定性が高まる
。
【００１７】
３、本考案のロックスリーブがネジで内側ロッカーに固定できるため、ハンドルでコーヒ
ー豆をミーリングするときの安定性をさらに向上できる。
【００１８】
４、本考案では、ハンドルが折り畳まれたときに磁石を介して本体に吸着でき、このため
、シンプルで高級であり、容易に収納でき、収納の安定性を実現する。
【００１９】
５、本考案のアウターカッターヘッドが固定リングによって押し締められるので、従来の
ねじロック構造に比べて、より省スペース化する。
【００２０】
６、本考案は、内側ロッカーと外側ロッカーとの接続部に設けられたねじりバネによって
、折畳み力を追加することができ、本考案の使用の利便性をさらに向上させる。
【００２１】
７、本考案の固定ゴムリングは、ハンドルを持ち上げるときの本体の落下を防止すること
ができ、ローレット加工された本体は、把持力を増加することができる。
【図面の簡単な説明】
【００２２】
【図１】本考案を展開したときの構造断面図である。
【図２】本考案を折り畳んだときの構造断面図である。
【図３】図２におけるＩ部の構造拡大図である。
【考案を実施するための形態】
【００２３】
図面及び具体的な実施例にて本考案をさらに説明する。なお、これらの実施例は、本考案
を説明するためのものに過ぎず、本考案の範囲を限定するものではない。また、なお、本
考案に記載の内容を閲覧した上、当業者が本考案に対して様々な変更又は修正を行うこと
ができ、これらの等価物が同様に本願に限定される範囲に属する。
【００２４】
図１、２、３に示されるように、手動コーヒーミルの折畳み構造は、本体１を備え、本体
１には、ローレットパターンが加工されているので、持力度を増加することができ、コー
ヒーミルの握りを容易にする。本体１の内部の中心軸３がハンドルによって回転駆動され
、本考案のハンドルは、主に内側ロッカー６と外側ロッカー９を備え、内側ロッカー６と
外側ロッカー９とは、回転軸１３を介してヒンジ連結される。ロックスリーブ７を押して
移動させ、本考案を使用するときの安定性及び力のフィードバックを増加するために、外
側ロッカー９には、バネ８が外嵌され、バネ８には、ロックスリーブ７が外嵌され、外側
ロッカー９とロックスリーブ７のいずれにも、バネ８に合わせた段差が設けられる。本考
案において、バネ８を使用する場合に限らず、ロックスリーブ７を押して移動させて、嵌
合の安定性と力のフィードバックを向上できる磁石などの構造を使用してもよい。
【００２５】
図１に示されるように、ハンドルが展開状態である場合、ロックスリーブ７を介して内側
ロッカー６と外側ロッカー９を水平に接続し、使用するときの安定性を向上させるために
、ロックスリーブ７と内側ロッカー６にネジを加工することができ、ハンドルを展開して
使用する必要がある場合、ロックスリーブ７をネジを介して内側ロッカー６に締め付ける
。ハンドルを折り畳む必要がある場合、ロックスリーブ７を外側に引いてバネ８を圧縮し
、ロックスリーブ７が内側ロッカー６と外側ロッカー９とのヒンジ位置から離脱した後、
外側ロッカー９を折り畳み、図２に示される折畳み状態にする。再びハンドルを展開する
必要がある場合、外側ロッカー９を回動して、バネ８の作用でロックスリーブが自動的に
復元して内側ロッカー６に外嵌し、それにより、ハンドルが展開する。
【００２６】
折り畳まれた後のハンドルの安定性を増加するために、本考案では、外側ロッカー９には
、磁石１０が設けられ、磁石１０は、外側ロッカー９の操作ハンドル１２の内部に固定さ
れ、磁石１０の一側には、緩衝ゴムパッド１１が設けられ、折り畳まれた後の外側ロッカ
ー９は、磁石１０を介して本体１に吸着でき、このようにして、収納するときの安定性が
実現される。
【００２７】
本考案では、本体１には、アウターカッターヘッドを押し締めるための固定リング２が設
けられ、固定リング２と本体１とは、ねじで接続され、固定リング２は、磁石１０と磁気
的に嵌合され、アウターカッターヘッドは、固定リング２によって押し締められ、このよ
うにして、ねじロックに比べて、空間をさらに節約し、また磁石１０の吸着に有利である
。
【００２８】
本考案は、中心軸３とキャップ５との接合部には、固定ゴムリング４が増設され、それに
よって、ハンドルを持ち上げるときに本体１が落下しないことを実現できる。
【符号の説明】
【００２９】
１、本体２、固定リング３、中心軸４、固定ゴムリング５、キャップ６、内側ロッカー７
、ロックスリーブ８、バネ９、外側ロッカー１０、磁石１１、緩衝ゴムパッド１２、操作
ハンドル１３、回転軸。
【図１】
0003225396.tif 000003
【図２】
0003225396.tif 000004
【図３】
0003225396.tif 000005
【手続補正書】
【提出日】令和2年1月6日(2020.1.6)
【手続補正１】
【補正対象書類名】実用新案登録請求の範囲
【補正対象項目名】全文
【補正方法】変更
【補正の内容】
【実用新案登録請求の範囲】
【請求項１】
中心軸（３）が内蔵された本体（１）を備え、中心軸（３）の上方には、キャップ（５）
が設けられ、前記キャップ（５）が内側ロッカー（６）に接続される手動コーヒーミルの
折畳み構造であって、
前記内側ロッカー（６）が折畳み可能な外側ロッカー（９）に接続され、前記内側ロッカ
ー（６）と外側ロッカー（９）とは、回転軸（１３）を介してヒンジ連結され、外側ロッ
カー（９）には、摺動可能なロックスリーブ（７）が外嵌され、ロックスリーブ（７）を
内側ロッカー（６）に外嵌することにより外側ロッカー（９）を展開して固定することが
でき、ロックスリーブ（７）を内側ロッカー（６）と外側ロッカー（９）とのヒンジ位置
から離脱させると、外側ロッカー（９）を折り畳むことができる、ことを特徴とする手動
コーヒーミルの折畳み構造。
【請求項２】
ロックスリーブ（７）と外側ロッカー（９）との間には、ロックスリーブ（７）を押すた
めのバネ（８）が設けられる、ことを特徴とする請求項１に記載の手動コーヒーミルの折
畳み構造。
【請求項３】
前記内側ロッカー（６）とロックスリーブ（７）には、互いに嵌合するネジが設けられる
、ことを特徴とする請求項１又は２に記載の手動コーヒーミルの折畳み構造。
【請求項４】
前記外側ロッカー（９）には、磁石（１０）が設けられ、折り畳まれた後の外側ロッカー
（９）は、磁石（１０）を介して本体（１）に吸着できる、ことを特徴とする請求項１又
は２に記載の手動コーヒーミルの折畳み構造。
【請求項５】
前記磁石（１０）の外側には、緩衝ゴムパッド（１１）が設けられる、ことを特徴とする
請求項４に記載の手動コーヒーミルの折畳み構造。
【請求項６】
前記本体（１）の内部には、アウターカッターヘッドを押し締めるための固定リング（２
）が設けられ、固定リング（２）と本体（１）は、ねじで接続され、固定リング（２）は
、磁石（１０）と磁気的に嵌合される、ことを特徴とする請求項４に記載の手動コーヒー
ミルの折畳み構造。
【請求項７】
前記内側ロッカー（６）と外側ロッカー（９）との接続部には、ねじりバネが設けられる
、ことを特徴とする請求項１に記載の手動コーヒーミルの折畳み構造。
【請求項８】
前記中心軸（３）とキャップ（５）との間には、固定ゴムリング（４）が設けられる、こ
とを特徴とする請求項１に記載の手動コーヒーミルの折畳み構造。
【請求項９】
前記本体（１）には、ローレットパターンが設けられる、ことを特徴とする請求項１に記
載の手動コーヒーミルの折畳み構造。